(57)【要約】【課題】  シャーシに固定されるＰＤＰに生じる歪みに起因するＰＤＰ装置からの異音の発生を防止する。【解決手段】  固定シート２１によってシャーシ１２に固定されたＰＤＰ１０がフロントケース１３に収容され、フロントケース１３が、ＰＤＰ１０の周縁部の非表示領域部分の前面を覆うフランジ部１３Ｂを有し、固定シート２１が、ＰＤＰ１０とシャーシ１２の間において、フロントケース１３のフランジ部１３Ｂに覆われているＰＤＰ１０の非表示領域部分に対向する領域部分に配置されている。【選択図】    図６
2006145684.tif 000002
【特許請求の範囲】
【請求項１】
互いに対向される前面基板と背面基板の間の放電空間が密閉されているとともに隔壁によって区画されているプラズマディスプレイパネルと、このプラズマディスプレイパネルを支持するためのシャーシと、このシャーシにプラズマディスプレイパネルを固定する固定部材と、この固定部材によってシャーシに固定されたプラズマディスプレイパネルを収容するフロントケースとを備えたプラズマディスプレイパネル装置において、
前記フロントケースが、プラズマディスプレイパネルの周縁部の非表示領域部分の前面を覆うフランジ部を有し、
前記固定部材が、プラズマディスプレイパネルとシャーシの間において、フロントケースのフランジ部に覆われているプラズマディスプレイパネルの非表示領域部分に対向する領域部分に配置されている、
ことを特徴とするプラズマディスプレイパネル装置。
【請求項２】
前記固定部材が、プラズマディスプレイパネルとシャーシの間において、プラズマディスプレイパネルの縁部に沿って中央部分を囲むように帯状に延びている請求項１に記載のプラズマディスプレイパネル装置。
【請求項３】
前記固定部材が、四枚の帯状シートによって構成され、各帯状シートがプラズマディスプレイパネルの四辺にそれぞれ配置されている請求項２に記載のプラズマディスプレイパネル装置。
【請求項４】
前記固定部材の幅がフロントケースのフランジ部の幅よりも小さい請求項１に記載のプラズマディスプレイパネル装置。
【請求項５】
前記プラズマディスプレイパネルとフロントケースのフランジ部の間において、固定部材の内縁部分が位置している部分よりもプラズマディスプレイパネルの内方側の位置に、プラズマディスプレイパネルとフロントケースのフランジ部の間に形成される隙間と大気側とを遮断する遮音部材が配置されている請求項１に記載のプラズマディスプレイパネル装置。
【請求項６】
前記遮音部材が、ウレタンまたはアクリル，合成ゴム，天然ゴムの発泡フォームである請求項５に記載のプラズマディスプレイパネル装置。
【請求項７】
前記プラズマディスプレイパネルとフロントケースのフランジ部の間において、固定部材の内側位置に、プラズマディスプレイパネルに取り付けられた放熱部材が配置されている請求項１に記載のプラズマディスプレイパネル装置。
【発明の詳細な説明】
【技術分野】
【０００１】
この発明は、プラズマディスプレイパネル装置の構成に関する。
【背景技術】
【０００２】
図１は、平面ディスプレイパネルの一つである面放電方式交流型プラズマディスプレイパネル（以下、ＰＤＰという）の構成を示す斜視図である。
【０００３】
この図１のＰＤＰ１０は、表示面となる前面ガラス基板１の背面に、行方向に延びるとともに列方向に並設された複数の行電極対（Ｘ，Ｙ）が形成されている。
【０００４】
この行電極対（Ｘ，Ｙ）を構成する各行電極ＸとＹは、それぞれ、行方向に帯状に延びるバス電極Ｘａ，Ｙａと、このバス電極Ｘａ，Ｙａの等間隔位置から対になっている他方の行電極側に突出して放電ギャップを介して互いに対向される透明電極Ｘｂ，Ｙｂとから構成されている。
【０００５】
この行電極対（Ｘ，Ｙ）は、誘電体層２によって被覆されており、さらに、誘電体層２の背面はＭｇＯからなる保護層３によって被覆されている。
【０００６】
前面ガラス基板１と放電空間を介して対向する背面ガラス基板４の表示側の面上には、それぞれ、前面ガラス基板１側の行電極Ｘ，Ｙの透明電極Ｘｂ，Ｙｂに対向する位置において列方向に延びるとともに行方向に並設された複数の列電極Ｄと、この列電極Ｄを被覆する列電極保護層５と、略格子形状に形成された隔壁６が形成され、この隔壁６によって、前面ガラス基板１と背面ガラス基板４の間の放電空間が放電ギャップを介して対になっている透明電極Ｘｂ，Ｙｂに対向する部分毎に区画されて、それぞれ放電セルＣが形成されている。
【０００７】
そして、隔壁６の間の各放電セルＣ内に、それぞれ赤，緑，青に色分けされた蛍光体層７が、行方向に順に並ぶように形成されている。
【０００８】
上記のような構成のＰＤＰ１０は、以下のようにして製造される。
【０００９】
すなわち、行電極対（Ｘ，Ｙ）等の構造物が形成された前面ガラス基板１と列電極Ｄ等の構造物が形成された背面ガラス基板４が、互いに所定の位置合わせが行われた状態で放電空間を介して重ね合わされ、この前面ガラス基板１と背面ガラス基板４の間の周縁部に形成された図示しない封着層によって放電空間が封止され、この後、放電空間内に放電ガスが封入される。
【００１０】
この放電空間を封止する封着層は、背面ガラス基板４の周縁部に低融点フリットガラスからなる封着材が塗布されて仮焼成されることにより形成され、背面ガラス基板４と前面ガラス基板１が重ね合わされた後、熱処理によって軟化されて前面ガラス基板１に融着される。
【００１１】
以上のようして製造されたＰＤＰ１０は、図２に示されるように、両面粘着シートなどの固定具１１を介してＰＤＰ装置のシャーシ１２に固定されて支持される。
【００１２】
この図２中、１３は、ＰＤＰ装置のフロントケースである。
【００１３】
ここで、このＰＤＰ１０を支持するシャーシ１２は、凹凸のない平板状に設計されている場合であっても、製造時に反り等が発生して、湾曲している場合がある。
【００１４】
このような湾曲が生じているシャーシ１２にＰＤＰ１０が固定されて支持される場合には、ＰＤＰ１０も、固定具１１によって固定されてシャーシ１２に拘束されることにより、シャーシ１２に沿って湾曲する方向に付勢されてしまう。
【００１５】
例えば、図３に示されるように、中央部が凹状になるように湾曲したシャーシ１２にＰＤＰ１０が固定されて支持される場合には、ＰＤＰ１０も、凹状に湾曲したシャーシ１２に沿って、中央部が凹状に湾曲する方向に付勢される。
【００１６】
このとき、ＰＤＰ１０においては、放電空間を介して重ね合わされた前面ガラス基板１と背面ガラス基板４のうち、前面ガラス基板１が圧縮側になるために、この前面ガラス基板１には、元の状態（平板状態）に復帰しようとする復元力（板面に沿って圧縮された前面ガラス基板１を伸張させようとする力）が発生する。
【００１７】
一方、前面ガラス基板１には、密閉された放電空間内部の圧力が大気圧よりも低いことによって、この大気圧が前面ガラス基板１を放電空間の内側方向に押圧する方向に作用する。
【００１８】
このため、図４に示されるように、前面ガラス基板１には、この前面ガラス基板１の板面を隔壁６に押圧しようとする力と隔壁６から離間させようとする力が同時に作用して、この前面ガラス基板１に、その板面を波打たせるような歪みが発生する場合がある。
【００１９】
そして、このような歪みがＰＤＰに発生すると、前面ガラス基板１側と隔壁６との間に部分的な隙間が発生して、この隙間がＰＤＰ１０の駆動時における前面ガラス基板１の振動の原因になり、従来のＰＤＰ装置において、これが、可聴域における異音の発生の原因になるという問題が生じる。
【発明の開示】
【発明が解決しようとする課題】
【００２０】
この発明は、上述したようなＰＤＰ装置における従来の問題点を解消することを解決課題の一つとしている。
【課題を解決するための手段】
【００２１】
この発明（請求項１に記載の発明）によるＰＤＰ装置は、上記目的を達成するために、互いに対向される前面基板と背面基板の間の放電空間が密閉されているとともに隔壁によって区画されているプラズマディスプレイパネルと、このプラズマディスプレイパネルを支持するためのシャーシと、このシャーシにプラズマディスプレイパネルを固定する固定部材と、この固定部材によってシャーシに固定されたプラズマディスプレイパネルを収容するフロントケースとを備えたプラズマディスプレイパネル装置において、前記フロントケースが、プラズマディスプレイパネルの周縁部の非表示領域部分の前面を覆うフランジ部を有し、前記固定部材が、プラズマディスプレイパネルとシャーシの間において、フロントケースのフランジ部に覆われているプラズマディスプレイパネルの非表示領域部分に対向する領域部分に配置されていることを特徴としている。
【発明を実施するための最良の形態】
【００２２】
この発明は、ＰＤＰがシャーシに固定された状態でフロントケース内に収容されて、このフロントケースのフランジ部によって、ＰＤＰの周縁部の非表示領域部分がカバーされており、シャーシにＰＤＰを固定する固定シートが、ＰＤＰとシャーシの間の四辺のフロントケースのフランジ部によってカバーされているＰＤＰの周縁部の非表示領域部分に対向する部分内に配置されているＰＤＰ装置をその最良の実施形態としている。
【００２３】
この実施形態のＰＤＰ装置によれば、固定シートによってシャーシに固定されることにより歪みが発生し易いＰＤＰの固定シートの内縁部分が位置している部分が、フロントケースのフランジ部によって完全にカバーされている状態になっていることにより、固定シートによる固定によってこの固定シートの内縁部分が位置するＰＤＰの部分に歪みが集中して発生して、この部分からＰＤＰの駆動時に異音が発生するような場合でも、この異音がフロントケースのフランジ部によって遮断されて、視聴者に直接届くのが防止される。
【００２４】
したがって、視聴者はＰＤＰから発生する異音に煩わされることなく、映像の観賞を行うことが出来るようになる。
【実施例１】
【００２５】
図５は、この発明によるＰＤＰ装置の実施形態における第１の実施例を示す正面図であり、図６は図５のＶ−Ｖ線における断面図である。
【００２６】
この図５および６において、ＰＤＰ装置のＰＤＰ１０は、シャーシ１２に固定された状態でフロントケース１３内に収容されている。
【００２７】
フロントケース１３は、ＰＤＰ１０およびシャーシ１２を収容するケース本体部１３Ａと、ＰＤＰ１０のパネル面の前方側において、ケース本体部１３Ａからパネル面と平行に内側方向に張り出しているフランジ部１３Ｂとによって構成されている。
【００２８】
そして、このフロントケース１３のフランジ部１３Ｂによって、ＰＤＰ１０のパネル面周縁部の非表示領域部分がカバーされている。
【００２９】
このＰＤＰ装置のＰＤＰ１０は、シャーシ１２との間に介装された固定シート２１によってシャーシ１２に固定されている。
【００３０】
固定シート２１は、この実施例においては、四枚の帯状のシート２１Ａによって構成されていて、この各シート２１Ａが、ＰＤＰ１０とシャーシ１２の間の四辺に沿って中央部分を囲むようにそれぞれ配置されており、それぞれの両面がＰＤＰ１０とシャーシ１２に貼着して、ＰＤＰ１０をシャーシ１２に固定している。
【００３１】
そして、この固定シート２１は、その幅ａが、ＰＤＰ１０のパネル面のフロントケース１３のフランジ部１３Ｂによってカバーされている非表示領域部分の幅ｂよりも小さい寸法となるように設定されており、したがって、図５に示されるように、ＰＤＰ装置を正面から見た場合に、固定シート２１の各シート２１Ａが、何れも、フロントケース１３のフランジ部１３Ｂの内側部分（ＰＤＰ１０の外縁部の非表示領域部分に対向する部分）に位置されている。
【００３２】
ＰＤＰ１０には、さらに、このＰＤＰ１０の背面の中央部分に、放熱シート２２が、ＰＤＰ１０側にのみ貼着されている状態でシャーシ１２との間に介在されている。
【００３３】
上記ＰＤＰ装置は、固定シート２１がＰＤＰ１０とシャーシ１２の間の周縁部分にのみ配置されていて、従来のＰＤＰ装置のようにＰＤＰ１０がその全面に亘ってシャーシ１２に固定されている構造ではないので、ＰＤＰ１０またはシャーシ１２に反りや捩れなどが発生しているような場合でも、シャーシ１２への固定によってＰＤＰ１０に生じる歪みが小さくなり、これによって、ＰＤＰ１０の駆動時におけるＰＤＰ１０の歪みに起因する異音の発生が抑制される。
【００３４】
ここで、上記のようにＰＤＰ１０が固定シートによってシャーシ１２に対して部分的に固定されてＰＤＰ１０における歪みの発生が緩和されているような場合でも、固定シートの縁部が位置するＰＤＰ１０の部分（例えば、図６にｐで示される部分）に歪みが集中することによって、ＰＤＰ１０の駆動時に、この部分から異音が発生する場合がある。
【００３５】
上記ＰＤＰ装置は、ＰＤＰ１０とシャーシ１２の間の周縁部分に配置された固定シート２１（シート２１Ａ）の幅ａが、ＰＤＰ１０のパネル面のフロントケース１３のフランジ部１３Ｂによってカバーされている非表示領域部分の幅ｂよりも小さい寸法となるように設定されて、ＰＤＰ装置を正面から見た場合に、固定シート２１の各シート２１Ａが、何れも、フロントケース１３のフランジ部１３Ｂの内側に位置されている。
【００３６】
したがって、上記ＰＤＰ装置は、固定シート２１（シート２１Ａ）によってシャーシ１２に固定されることにより歪みが発生し易いＰＤＰ１０の固定シート２１の内縁部分が位置する部分ｐが、フロントケース１３のフランジ部１３Ｂによって完全にカバーされている状態になっている。
【００３７】
このため、固定シート２１による固定によってこの固定シート２１の内縁部分が位置するＰＤＰ１０の部分ｐに歪みが集中して発生し、万一、このＰＤＰ１０の部分ｐからＰＤＰ１０の駆動時に異音が発生してしまうような場合でも、この異音がフロントケース１３のフランジ部１３Ｂによって遮断されて、視聴者に直接届くのが防止されるので、視聴者はＰＤＰ１０から発生する異音に煩わされることなく映像観賞を行うことが出来るようになる。
【００３８】
また、上記ＰＤＰ装置は、ＰＤＰ１０の背面の中央部分に貼着された放熱シート２２によって、ＰＤＰ１０からの放熱が行われ、ＰＤＰ１０が固定シート２１によってシャーシ１２に部分的に固定されていることによるＰＤＰ１０からシャーシ１２への伝熱効果の低下が補われて、ＰＤＰ１０からの良好な放熱効率が確保される。
【００３９】
なお、上記の実施例においては、固定シート２１が四枚のシート２１Ａによって構成されている場合について説明を行ったが、固定シート２１を一枚の枠状のシートによって構成してもよく、また、例えば二枚のＬ字状のシートを枠状に組み合わせて構成するようにしてもよい。
【実施例２】
【００４０】
図７は、この発明によるＰＤＰ装置の実施形態における第２の実施例を示す断面図である。
【００４１】
この図７において、第２実施例におけるＰＤＰ装置は、フロントケース１３のフランジ部１３Ｂの内縁部分とＰＤＰ１０のパネル面との間において、固定シート２１（シート２１Ａ）の内縁部分よりも内側位置に対向する位置に、枠形状の遮音材２３が介装されて、この遮音材２３によって、フロントケース１３のフランジ部１３ＢとＰＤＰ１０のパネル面との間に形成される隙間ｓと大気側との間が、遮蔽されている。
【００４２】
この遮音材２３としては、例えば、ウレタンやアクリル，合成ゴムまたは天然ゴム系の発泡フォーム等が挙げられる。
【００４３】
他の部分の構成は、前述した第１実施例のＰＤＰ装置の場合と同様であり、同一の構成部分については第１実施例のＰＤＰ装置と同一の符号が付されている。
【００４４】
この第２実施例によるＰＤＰ装置は、前述した第１実施例のＰＤＰ装置と同様に、ＰＤＰ１０からの歪みに起因する異音の発生防止効果と放熱効果を発揮することが出来るとともに、固定シート２１の内縁部分が位置するＰＤＰ１０の部分ｐからこの部分ｐに生じている歪みに起因して発生する異音が、遮音材２３によって、ＰＤＰ１０のパネル面とフロントケース１３のフランジ部１３Ｂの間の隙間ｓからパネル面の中央部側に回り込んで大気側に放出されるのが防止され、これによって、ＰＤＰ１０からの異音の発生防止効果がさらに向上される。
【図面の簡単な説明】
【００４５】
【図１】従来のＰＤＰの構成を示す斜視図である。
【図２】従来のＰＤＰ装置の構成を示す断面図である。
【図３】従来のＰＤＰ装置においてＰＤＰに歪みが発生している状態を示す説明図である。
【図４】従来のＰＤＰ装置においてＰＤＰの歪みにより前面ガラス基板と隔壁の間に隙間が発生している状態を示す説明図である。
【図５】この発明によるＰＤＰ装置の実施形態における第１実施例を示す正面図である。
【図６】図５のＶ−Ｖ線における断面図である。
【図７】この発明によるＰＤＰ装置の実施形態における第２実施例を示す断面図である。
【符号の説明】
【００４６】
１              …前面ガラス基板（前面基板）
４              …背面ガラス基板（背面基板）
６              …隔壁
１０            …ＰＤＰ（プラズマディスプレイパネル）
１２            …シャーシ
１３            …フロントケース
１３Ａ          …ケース本体部
１３Ｂ          …フランジ部
２１            …固定シート（固定部材）
２１Ａ          …シート（固定部材）
２２            …放熱シート（放熱部材）
２３            …遮音材（遮音部材）
【図１】
2006145684.tif 000003
【図２】
2006145684.tif 000004
【図３】
2006145684.tif 000005
【図４】
2006145684.tif 000006
【図５】
2006145684.tif 000007
【図６】
2006145684.tif 000008
【図７】
2006145684.tif 000009